【手続補正書】
【提出日】平成18年4月17日(2006.4.17)
【手続補正１】
【補正対象書類名】明細書
【補正対象項目名】特許請求の範囲
【補正方法】変更
【補正の内容】
【特許請求の範囲】
【請求項１】  一般式（Ｉ）：
【化１】
1999322745.tif 000001
［式中、
Ａはフェニルまたは、窒素が５位、６位、７位、または８位に存在するピリジルである；
ＢまたはＤの中のいずれか１個は窒素であり、他方は炭素である；
Ｚはシクロヘキセニル、フェニル、窒素が１位、２位または３位にあるピリジルであるか、または１位、２位または３位に硫黄または酸素からなる群から選択されたヘテロ原子１個を有し、１位、２位、３位または４位に窒素を有するヘテロ６員環基である；
‥‥は二重結合または単結合である；
Ｒ20は基（ａ）、（ｂ）および（ｃ）から選択され、ここに
（ａ）は−（Ｃ5〜Ｃ20）アルキル、（Ｃ5〜Ｃ20）アルケニル、（Ｃ5〜Ｃ20）アルキニル、炭素環基、またはヘテロ環基であり、または
（ｂ）は独立に選択された非妨害性置換基１個またはそれ以上で置換された基（ａ）の一員であり、または
（ｃ）は−（Ｌ）−Ｒ80基であり、ここに、−（Ｌ）−は、炭素、水素、酸素、窒素および硫黄から選択される原子を１個から１２個含む二価結合基であり、ここに、−（Ｌ）−にある原子の組合せは（ｉ）炭素と水素のみ、（ｉｉ）硫黄１個のみ、（ｉｉｉ）酸素１個のみ、（ｉｖ）１個または２個の窒素および水素のみ、（ｖ）炭素、水素、および１個の硫黄のみ、および（ｖｉ）炭素、水素、および酸素のみからなる群から選択され、ここに、Ｒ80は（ａ）または（ｂ）から選択された基であり；
Ｒ21は非妨害性置換基であり；
Ｒ1’は−ＮＨＮＨ2、−ＮＨ2、または−ＣＯＮＨ2であり；
Ｒ2’は−ＯＨおよび−Ｏ（ＣＨ2）tＲ5’からなる群から選択され、
ここに
Ｒ5’はＨ、−ＣＮ、−ＮＨ2、−ＣＯＮＨ2、−ＣＯＮＲ9Ｒ10、−ＮＨＳＯ2Ｒ15または−ＣＯＮＨＳＯ2Ｒ15であって、Ｒ15が−（Ｃ1〜Ｃ6）アルキルまたは−ＣＦ3であるもの；フェニル；または−ＣＯ2Ｈまたは−ＣＯ2（Ｃ1〜Ｃ4）アルキルで置換されたフェニル；および−（Ｌａ）−（酸性基）であって、−（Ｌａ）−が１〜７の酸リンカー長を有する酸リンカーであるもの；であり、そしてｔは１〜５であり；
Ｒ3’は非妨害性の置換基、炭素環基、非妨害性の置換基で置換された炭素環基、ヘテロ環基、および非妨害性置換基で置換されたヘテロ環基から選択される。
但し、ＡまたはＺのどちらか１個はヘテロ環であるものとし、および
Ｄが窒素であるときは、Ｚのヘテロ原子は１位、２位または３位の硫黄または酸素、および１位、２位、３位または４位の窒素からなる群から選択されるものとする］
で示される化合物またはその製薬的に許容されるラセミ体、溶媒和物、互変異性体、光学異性体、プロドラッグ誘導体、または塩。
【請求項２】  式（ＩＩ）：
【化２】
1999322745.tif 000002
［式中、
Ｒ1は−ＮＨＮＨ2、または−ＮＨ2であり；
Ｒ2は−ＯＨおよび−Ｏ（ＣＨ2）mＲ5からなる群から選択され、
ここにＲ5は、Ｈ、−ＣＯ2Ｈ、−ＣＯ2（Ｃ1〜Ｃ4−アルキル）；
−Ｐ（＝Ｏ）（Ｒ6Ｒ7）（ここにＲ6およびＲ7は各々独立に−ＯＨまたは−Ｏ（Ｃ1〜Ｃ4）アルキルである）；−ＳＯ3Ｈ、−ＳＯ3（Ｃ1〜Ｃ4−アルキル）、テトラゾリル、−ＣＮ、−ＮＨ2；−ＮＨＳＯ2Ｒ15；−ＣＯＮＨＳＯ2Ｒ15（ここにＲ15は−（Ｃ1〜Ｃ6）アルキルまたは−ＣＦ3、フェニルまたは−ＣＯ2Ｈまたは−ＣＯ2（Ｃ1〜Ｃ4）アルキルで置換されたフェニルである）であり、ｍは１〜３であり；
Ｒ3はＨ、−Ｏ（Ｃ1〜Ｃ4）アルキル、ハロ、−（Ｃ1〜Ｃ6）アルキル、フェニル、−（Ｃ1〜Ｃ4）アルキルフェニル；−（Ｃ1〜Ｃ6）アルキル、ハロ、または−ＣＦ3で置換されたフェニル；−ＣＨ2ＯＳｉ（Ｃ1〜Ｃ6）アルキル、フリル、チオフェニル、−（Ｃ1〜Ｃ6）ヒドロキシアルキル；または−（ＣＨ2）nＲ8（ここに、Ｒ8はＨ、−ＣＯＮＨ2、−ＮＲ9Ｒ10、−ＣＮまたはフェニルであり、Ｒ9およびＲ10は独立に−（Ｃ1〜Ｃ4）アルキルまたは−フェニル（Ｃ1〜Ｃ4）アルキルであり、ｎは１〜８である）であり；
Ｒ4はＨ、−（Ｃ5〜Ｃ14）アルキル、−（Ｃ3〜Ｃ14）シクロアルキル、ピリジル、フェニル；またはフェニルであって、−（Ｃ1〜Ｃ6）アルキル、ハロ、−ＣＦ3、−ＯＣＦ3、−（Ｃ1〜Ｃ4）アルコキシ、−ＣＮ、−（Ｃ1〜Ｃ4）アルキルチオ、フェニル（Ｃ1〜Ｃ4）アルキル、−（Ｃ1〜Ｃ4）アルキルフェニル、フェニル、フェノキシ、またはナフチルで置換されたものであり；
Ａはフェニルまたは、その窒素が５位、６位、７位または８位にあるピリジルであり；
Ｚはシクロヘキセニル、フェニル、窒素が１位、２位または３位にあるピリジルであるか、または１位、２位または３位の硫黄または酸素からなる群から選択されたヘテロ原子１個を有し、および１位、２位、３位または４位に窒素を有するヘテロ６員環であるか、またはそのヘテロ環上の炭素１個が、場合により＝Ｏで置換されているものであり、
但し、ＡまたはＺのどちらか１個はヘテロ環であるものとする］
で示される化合物またはその製薬的に許容されるラセミ体、溶媒和物、互変異性体、光学異性体、プロドラッグ誘導体、または塩。
【請求項３】  （Ｒ，Ｓ）−（９−ベンジル−４−カルバモイル−１−オキソ−３−チア−１，２，３，４−テトラヒドロカルバゾール−５−イル）オキシ酢酸；（Ｒ，Ｓ）−（９−ベンジル−４−カルバモイル−１−オキソ−３−チア−１，２，３，４−テトラヒドロカルバゾール−５−イル）オキシ酢酸；［Ｎ−ベンジル−１−カルバモイル−１−アザ−１，２，３，４−テトラヒドロカルバゾール−８−イル）オキシ酢酸；４−メトキシ−６−メトキシカルボニル−１０−フェニルメチル−６，７，８，９−テトラヒドロピリド［１，２−ａ］インドール；（４−カルボキサミド−９−フェニルメチル−４，５−ジヒドロチオピラノ［３，４−ｂ］インドール−５−イル）オキシ酢酸；３，４−ジヒドロ−４−カルボキサミドール−５−メトキシ−９−フェニルメチルピラノ［３，４−ｂ］インドール；および２−［（２，９−ビスベンジル−４−カルバモイル−１，２，３，４−テトラヒドロ−ベータ−カルボリン−５−イル）オキシ］酢酸
からなる群から選択される化合物またはその製薬的に許容されるラセミ体、溶媒和物、互変異性体、光学異性体、プロドラッグ誘導体、または塩。
【請求項４】  請求項１記載の化合物をその製薬的に許容される担体または希釈剤とともに含む医薬的製剤。
【請求項５】  請求項２記載の化合物をその製薬的に許容される担体または希釈剤とともに含む医薬的製剤。
【請求項６】  請求項１記載の化合物をその製薬的に許容される担体または希釈剤とともに含む、ｓＰＬＡ2に関連する病状の処置に適した医薬的製剤。
【請求項７】  請求項２記載の化合物をその製薬的に許容される担体または希釈剤とともに含む、ｓＰＬＡ2に関連する病状の処置に適した医薬的製剤。
【請求項８】  処置を必要とする哺乳類に式（Ｉ）：
【化３】
1999322745.tif 000003
［式中、
Ａはフェニルまたは、窒素が５位、６位、７位、または８位に存在するピリジルである；
ＢまたはＤの中のいずれか１個は窒素であり、他方は炭素である；
Ｚはシクロヘキセニル、フェニル、窒素が１位、２位または３位にあるピリジルであるか、または１位、２位または３位に硫黄または酸素からなる群から選択されたヘテロ原子１個を有し、１位、２位、３位または４位に窒素を有するヘテロ６員環基である；
‥‥は二重結合または単結合である；
Ｒ20は基（ａ）、（ｂ）および（ｃ）から選択され、ここに
（ａ）は−（Ｃ5〜Ｃ20）アルキル、（Ｃ5〜Ｃ20）アルケニル、（Ｃ5〜Ｃ20）アルキニル、炭素環基、またはヘテロ環基であり、または
（ｂ）は独立に選択された非妨害性置換基１個またはそれ以上で置換された基（ａ）の一員であり、または
（ｃ）は−（Ｌ）−Ｒ80基であり、ここに、−（Ｌ）−は、炭素、水素、酸素、窒素および硫黄から選択される原子を１個から１２個含む二価結合基であり、ここに、−（Ｌ）−にある原子の組合せは（ｉ）炭素と水素のみ、（ｉｉ）硫黄１個のみ、（ｉｉｉ）酸素１個のみ、（ｉｖ）１個または２個の窒素および水素のみ、（ｖ）炭素、水素、および１個の硫黄のみ、および（ｖｉ）炭素、水素、および酸素のみからなる群から選択され、ここに、Ｒ80は（ａ）または（ｂ）から選択された基であり；
Ｒ21は非妨害性置換基であり；
Ｒ1’は−ＮＨＮＨ2、−ＮＨ2、または−ＣＯＮＨ2であり；
Ｒ2’は−ＯＨおよび−Ｏ（ＣＨ2）tＲ5’からなる群から選択され、
ここに
Ｒ5’はＨ、−ＣＮ、−ＮＨ2、−ＣＯＮＨ2、−ＣＯＮＲ9Ｒ10、−ＮＨＳＯ2Ｒ15または−ＣＯＮＨＳＯ2Ｒ15であって、Ｒ15が−（Ｃ1〜Ｃ6）アルキルまたは−ＣＦ3であるもの；フェニル；または−ＣＯ2Ｈまたは−ＣＯ2（Ｃ1〜Ｃ4）アルキルで置換されたフェニル；および−（Ｌａ）−（酸性基）であって、−（Ｌａ）−が１〜７の酸リンカー長を有する酸リンカーであるもの；であり、そしてｔは１〜５であり；
Ｒ3’は非妨害性の置換基、炭素環基、非妨害性の置換基で置換された炭素環基、ヘテロ環基、および非妨害性置換基で置換されたヘテロ環基から選択される。
但し、ＡまたはＺのどちらか１個はヘテロ環であるものとし、および
Ｄが窒素であるときは、Ｚのヘテロ原子は１位、２位または３位の硫黄または酸素、および１位、２位、３位または４位の窒素からなる群から選択されるものとする］
で示される化合物またはその製薬的に許容されるラセミ体、溶媒和物、互変異性体、光学異性体、プロドラッグ誘導体、または塩の医薬的有効量を投与することを包含する、該哺乳類のｓＰＬＡ2を選択的に阻害する方法。
【請求項９】  哺乳類のｓＰＬＡ2を選択的に阻害する方法であって、そのような処置を必要とする哺乳類に式（ＩＩ）：
【化４】
1999322745.tif 000004
［式中、
Ｒ1は−ＮＨＮＨ2、または−ＮＨ2であり；
Ｒ2は−ＯＨおよび−Ｏ（ＣＨ2）mＲ5からなる群から選択され、
ここにＲ5は、Ｈ、−ＣＯ2Ｈ、−ＣＯ2（Ｃ1〜Ｃ4−アルキル）；
−Ｐ（＝Ｏ）（Ｒ6Ｒ7）（ここにＲ6およびＲ7は各々独立に−ＯＨまたは−Ｏ（Ｃ1〜Ｃ4）アルキルである）；−ＳＯ3Ｈ、−ＳＯ3（Ｃ1〜Ｃ4−アルキル）、テトラゾリル、−ＣＮ、−ＮＨ2；−ＮＨＳＯ2Ｒ15；−ＣＯＮＨＳＯ2Ｒ15（ここにＲ15は−（Ｃ1〜Ｃ6）アルキルまたは−ＣＦ3、フェニルまたは−ＣＯ2Ｈまたは−ＣＯ2（Ｃ1〜Ｃ4）アルキルで置換されたフェニルである）であり、ｍは１〜３であり；
Ｒ3はＨ、−Ｏ（Ｃ1〜Ｃ4）アルキル、ハロ、−（Ｃ1〜Ｃ6）アルキル、フェニル、−（Ｃ1〜Ｃ4）アルキルフェニル；−（Ｃ1〜Ｃ6）アルキル、ハロ、または−ＣＦ3で置換されたフェニル；−ＣＨ2ＯＳｉ（Ｃ1〜Ｃ6）アルキル、フリル、チオフェニル、−（Ｃ1〜Ｃ6）ヒドロキシアルキル；または−（ＣＨ2）nＲ8（ここに、Ｒ8はＨ、−ＣＯＮＨ2、−ＮＲ9Ｒ10、−ＣＮまたはフェニルであり、Ｒ9およびＲ10は独立に−（Ｃ1〜Ｃ4）アルキルまたは−フェニル（Ｃ1〜Ｃ4）アルキルであり、ｎは１〜８である）であり；
Ｒ4はＨ、−（Ｃ5〜Ｃ14）アルキル、−（Ｃ3〜Ｃ14）シクロアルキル、ピリジル、フェニル；またはフェニルであって、−（Ｃ1〜Ｃ6）アルキル、ハロ、−ＣＦ3、−ＯＣＦ3、−（Ｃ1〜Ｃ4）アルコキシ、−ＣＮ、−（Ｃ1〜Ｃ4）アルキルチオ、フェニル（Ｃ1〜Ｃ4）アルキル、−（Ｃ1〜Ｃ4）アルキルフェニル、フェニル、フェノキシ、またはナフチルで置換されたものであり；
Ａはフェニルまたは、その窒素が５位、６位、７位または８位にあるピリジルであり；
Ｚはシクロヘキセニル、フェニル、窒素が１位、２位または３位にあるピリジルであるか、または１位、２位または３位の硫黄または酸素からなる群から選択されたヘテロ原子１個を有し、および１位、２位、３位または４位に窒素を有するヘテロ６員環であるか、またはそのヘテロ環上の炭素１個が、場合により＝Ｏで置換されているものであり、
但し、ＡまたはＺのどちらか１個はヘテロ環であるものとする］
で示される化合物、またはその製薬的に許容されるラセミ体、溶媒和物、互変異性体、光学異性体、プロドラッグ誘導体または塩の医薬的有効量を投与することを包含する方法。
【請求項１０】  ｓＰＬＡ2に関連する疾患の病的作用を軽減する方法であって、ｓＰＬＡ2媒介性の脂肪酸放出を阻害することによりアラキドン酸カスケードおよびその有害産物を阻害または予防するに充分な量の請求項１記載の化合物をそのような処置を必要としている哺乳類に投与することを特徴とする方法。
【請求項１１】  ｓＰＬＡ2に関連する疾患の病的作用を軽減する方法であって、ｓＰＬＡ2媒介性の脂肪酸放出を阻害することによりアラキドン酸カスケードおよびその有害産物を阻害または予防するに充分な量の請求項２に記載の化合物をそのような処置を必要としている哺乳類に投与することを特徴とする方法。
【請求項１２】  そのような処置を必要としている哺乳類に請求項１記載の化合物の治療的有効量を投与してｓＰＬＡ2に関連する疾患の病的作用を軽減するための医薬の製造のための、請求項１記載の化合物の使用。
【請求項１３】  化合物が、
（Ｒ，Ｓ）−（９−ベンジル−４−カルバモイル−１−オキソ−３−チア−１，２，３，４−テトラヒドロカルバゾール−５−イル）オキシ酢酸；
（Ｒ，Ｓ）−（９−ベンジル−４−カルバモイル−１−オキソ−３−チア−１，２，３，４−テトラヒドロカルバゾール−５−イル）オキシ酢酸；
［Ｎ−ベンジル−１−カルバモイル−１−アザ−１，２，３，４−テトラヒドロカルバゾール−８−イル］オキシ酢酸；
４−メトキシ−６−メトキシカルボニル−１０−フェニルメチル−６，７，８，９−テトラヒドロピリド［１，２−ａ］インドール；
（４−カルボキサミド−９−フェニルメチル−４，５−ジヒドロチオピラノ［３，４−ｂ］インドール−５−イル）オキシ酢酸；
３，４−ジヒドロ−４−カルボキサミドル−５−メトキシ−９−フェニルメチルピラノ［３，４−ｂ］インドール；
２−［（２，９−ビスベンジル−４−カルバモイル−１，２，３，４−テトラヒドロ−ベータ−カルボリン−５−イル）オキシ］酢酸
またはその製薬的に許容されるラセミ体、溶媒和物、互変異性体、光学異性体、プロドラッグ誘導体または塩からなる群から選択される請求項８の方法。
【請求項１４】  化合物が、
（Ｒ，Ｓ）−（９−ベンジル−４−カルバモイル−１−オキソ−３−チア−１，２，３，４−テトラヒドロカルバゾール−５−イル）オキシ酢酸；
（Ｒ，Ｓ）−（９−ベンジル−４−カルバモイル−１−オキソ−３−チア−１，２，３，４−テトラヒドロカルバゾール−５−イル）オキシ酢酸；
［Ｎ−ベンジル−１−カルバモイル−１−アザ−１，２，３，４−テトラヒドロカルバゾール−８−イル］オキシ酢酸；
４−メトキシ−６−メトキシカルボニル−１０−フェニルメチル−６，７，８，９−テトラヒドロピリド［１，２−ａ］インドール；
（４−カルボキサミド−９−フェニルメチル−４，５−ジヒドロチオピラノ［３，４−ｂ］インドール−５−イル）オキシ酢酸；
３，４−ジヒドロ−４−カルボキサミドル−５−メトキシ−９−フェニルメチルピラノ［３，４−ｂ］インドール；
２−［（２，９−ビスベンジル−４−カルバモイル−１，２，３，４−テトラヒドロ−ベータ−カルボリン−５−イル）オキシ］酢酸
またはその製薬的に許容されるラセミ体、溶媒和物、互変異性体、光学異性体、プロドラッグ誘導体または塩からなる群から選択される請求項９の方法。
【請求項１５】  ｓＰＬＡ2を請求項１記載の化合物と接触させることを包含するｓＰＬＡ2を阻害する方法。
【請求項１６】  ｓＰＬＡ2を請求項２記載の化合物と接触させることを包含するｓＰＬＡ2を阻害する方法。
【請求項１７】  敗血症、敗血症ショック、慢性関節リウマチ、変形性関節症、発作、アポトーシス、喘息、慢性気管支炎、急性気管支炎、嚢胞性線維症、炎症性腸疾患または膵臓炎を処置する方法であって、この処置を必要とする対象に式Ｉ：
【化５】
1999322745.tif 000005
［式中、
Ａはフェニルまたは、窒素が５位、６位、７位、または８位に存在するピリジルである；
ＢまたはＤの中のいずれか１個は窒素であり、他方は炭素である；
Ｚはシクロヘキセニル、フェニル、窒素が１位、２位または３位にあるピリジルであるか、または１位、２位または３位に硫黄または酸素からなる群から選択されたヘテロ原子１個を有し、１位、２位、３位または４位に窒素を有するヘテロ６員環基である；
‥‥は二重結合または単結合である；
Ｒ20は基（ａ）、（ｂ）および（ｃ）から選択され、ここに
（ａ）は−（Ｃ5〜Ｃ20）アルキル、（Ｃ5〜Ｃ20）アルケニル、（Ｃ5〜Ｃ20）アルキニル、炭素環基、またはヘテロ環基であり、または
（ｂ）は独立に選択された非妨害性置換基１個またはそれ以上で置換された基（ａ）の一員であり、または
（ｃ）は−（Ｌ）−Ｒ80基であり、ここに、−（Ｌ）−は、炭素、水素、酸素、窒素および硫黄から選択される原子を１個から１２個含む二価結合基であり、ここに、−（Ｌ）−にある原子の組合せは（ｉ）炭素と水素のみ、（ｉｉ）硫黄１個のみ、（ｉｉｉ）酸素１個のみ、（ｉｖ）１個または２個の窒素および水素のみ、（ｖ）炭素、水素、および１個の硫黄のみ、および（ｖｉ）炭素、水素、および酸素のみからなる群から選択され、ここに、Ｒ80は（ａ）または（ｂ）から選択された基であり；
Ｒ21は非妨害性置換基であり；
Ｒ1’は−ＮＨＮＨ2、−ＮＨ2、または−ＣＯＮＨ2であり；
Ｒ2’は−ＯＨおよび−Ｏ（ＣＨ2）tＲ5’からなる群から選択され、
ここに
Ｒ5’はＨ、−ＣＮ、−ＮＨ2、−ＣＯＮＨ2、−ＣＯＮＲ9Ｒ10、−ＮＨＳＯ2Ｒ15または−ＣＯＮＨＳＯ2Ｒ15であって、Ｒ15が−（Ｃ1〜Ｃ6）アルキルまたは−ＣＦ3であるもの；フェニル；または−ＣＯ2Ｈまたは−ＣＯ2（Ｃ1〜Ｃ4）アルキルで置換されたフェニル；および−（Ｌａ）−（酸性基）であって、−（Ｌａ）−が１〜７の酸リンカー長を有する酸リンカーであるもの；であり、そしてｔは１〜５であり；
Ｒ3’は非妨害性の置換基、炭素環基、非妨害性の置換基で置換された炭素環基、ヘテロ環基、および非妨害性置換基で置換されたヘテロ環基から選択される。
但し、ＡまたはＺのどちらか１個はヘテロ環であるものとし、および
Ｄが窒素であるときは、Ｚのヘテロ原子は１位、２位または３位の硫黄または酸素、および１位、２位、３位または４位の窒素からなる群から選択されるものとする］
で示される化合物またはその製薬的に許容されるラセミ体、溶媒和物、互変異性体、光学異性体、プロドラッグ誘導体、または塩の治療的有効量を投与することを包含する方法。
【請求項１８】  敗血症、敗血症ショック、慢性関節リウマチ、変形性関節症、発作、アポトーシス、喘息、慢性気管支炎、急性気管支炎、嚢胞性線維症、炎症性腸疾患または膵臓炎を処置する方法であって、この処置を必要とする対象に式：
【化６】
1999322745.tif 000006
［式中、
Ｒ1は−ＮＨＮＨ2、または−ＮＨ2であり；
Ｒ2は−ＯＨおよび−Ｏ（ＣＨ2）mＲ5からなる群から選択され、
ここにＲ5は、Ｈ、−ＣＯ2Ｈ、−ＣＯ2（Ｃ1〜Ｃ4−アルキル）；
−Ｐ（＝Ｏ）（Ｒ6Ｒ7）（ここにＲ6およびＲ7は各々独立に−ＯＨまたは−Ｏ（Ｃ1〜Ｃ4）アルキルである）；−ＳＯ3Ｈ、−ＳＯ3（Ｃ1〜Ｃ4−アルキル）、テトラゾリル、−ＣＮ、−ＮＨ2；−ＮＨＳＯ2Ｒ15；−ＣＯＮＨＳＯ2Ｒ15（ここにＲ15は−（Ｃ1〜Ｃ6）アルキルまたは−ＣＦ3、フェニルまたは−ＣＯ2Ｈまたは−ＣＯ2（Ｃ1〜Ｃ4）アルキルで置換されたフェニルである）であり、ｍは１〜３であり；
Ｒ3はＨ、−Ｏ（Ｃ1〜Ｃ4）アルキル、ハロ、−（Ｃ1〜Ｃ6）アルキル、フェニル、−（Ｃ1〜Ｃ4）アルキルフェニル；−（Ｃ1〜Ｃ6）アルキル、ハロ、または−ＣＦ3で置換されたフェニル；−ＣＨ2ＯＳｉ（Ｃ1〜Ｃ6）アルキル、フリル、チオフェニル、−（Ｃ1〜Ｃ6）ヒドロキシアルキル；または−（ＣＨ2）nＲ8（ここに、Ｒ8はＨ、−ＣＯＮＨ2、−ＮＲ9Ｒ10、−ＣＮまたはフェニルであり、Ｒ9およびＲ10は独立に−（Ｃ1〜Ｃ4）アルキルまたは−フェニル（Ｃ1〜Ｃ4）アルキルであり、ｎは１〜８である）であり；
Ｒ4はＨ、−（Ｃ5〜Ｃ14）アルキル、−（Ｃ3〜Ｃ14）シクロアルキル、ピリジル、フェニル；またはフェニルであって、−（Ｃ1〜Ｃ6）アルキル、ハロ、−ＣＦ3、−ＯＣＦ3、−（Ｃ1〜Ｃ4）アルコキシ、−ＣＮ、−（Ｃ1〜Ｃ4）アルキルチオ、フェニル（Ｃ1〜Ｃ4）アルキル、−（Ｃ1〜Ｃ4）アルキルフェニル、フェニル、フェノキシ、またはナフチルで置換されたものであり；
Ａはフェニルまたは、その窒素が５位、６位、７位または８位にあるピリジルであり；
Ｚはシクロヘキセニル、フェニル、窒素が１位、２位または３位にあるピリジルであるか、または１位、２位または３位の硫黄または酸素からなる群から選択されたヘテロ原子１個を有し、および１位、２位、３位または４位に窒素を有するヘテロ６員環であるか、またはそのヘテロ環上の炭素１個が、場合により＝Ｏで置換されているものであり、
但し、ＡまたはＺのどちらか１個はヘテロ環であるものとする］
で示される化合物またはその製薬的に許容されるラセミ体、溶媒和物、互変異性体、光学異性体、プロドラッグ誘導体または塩の治療的有効量を投与することを包含する方法。
【請求項１９】  治療的有効量の請求項１記載の化合物をこの処置を必要とする哺乳類に投与することを包含する、敗血症、敗血症ショック、成人呼吸困難症候群、膵臓炎、トラウマ（外傷）誘発性ショック、気管支喘息、アレルギー性鼻炎、慢性関節リウマチ、嚢胞性線維症、発作、急性気管支炎、慢性気管支炎、急性細気管支炎、慢性細気管支炎、変形性関節症、痛風、脊椎関節症（spondylarthropathris）、強直性脊椎炎、ライター症候群、乾癬性関節炎、腸疾患性脊椎炎（enterapathric spondylitis）、若年性関節症または若年性強直性脊椎炎、反応性関節症、感染または感染後関節炎、淋菌性関節炎、結核性関節炎、ウイルス性関節炎、真菌性関節炎、梅毒性関節炎、ライム病、「脈管症候群」に付随する関節炎、結節性多発性動脈炎、高感受性脈管炎、Luegenec's 肉芽腫症、リウマチ性多発性筋痛、側頭動脈炎（joint cell arteritis）、カルシウム結晶沈着関節症、偽痛風、関節外リウマチ、滑液包炎、腱鞘炎、外上顆炎（テニス肘）、手根管圧迫症候群、反復利用性損傷（タイピング）、種々の形態の関節症、神経障害性関節疾患（シャルコおよび関節）、関節血症（関節血症性）、ヘノッホ-シェーンライン紫斑病、肥厚性骨関節症、多中心性網組織球症、特定の疾患に付随する関節炎、サルコイロシス（surcoilosis）、血色素症、鎌状赤血球病および他の異常血色素症、高リポ蛋白血症、低γ-グロブリン血症、副甲状腺機能亢進症、先端肥大症、家族性地中海熱、ベハット（Behat）病、全身性エリテマトーデス、または再発性多発性軟骨炎、または関連疾患の病的作用を軽減する方法。
【請求項２０】  治療的有効量の請求項２記載の化合物をこの処置を必要とする哺乳類に投与することを包含する、敗血症、敗血症ショック、成人呼吸困難症候群、膵臓炎、トラウマ（外傷）誘発性ショック、気管支喘息、アレルギー性鼻炎、慢性関節リウマチ、嚢胞性線維症、発作、急性気管支炎、慢性気管支炎、急性細気管支炎、慢性細気管支炎、変形性関節症、痛風、脊椎関節症（spondylarthropathris）、強直性脊椎炎、ライター症候群、乾癬性関節炎、腸疾患性脊椎炎（enterapathric spondylitis）、若年性関節症または若年性強直性脊椎炎、反応性関節症、感染または感染後関節炎、淋菌性関節炎、結核性関節炎、ウイルス性関節炎、真菌性関節炎、梅毒性関節炎、ライム病、「脈管症候群」に付随する関節炎、結節性多発性動脈炎、高感受性脈管炎、Luegenec's 肉芽腫症、リウマチ性多発性筋痛、側頭動脈炎（joint cell arteritis）、カルシウム結晶沈着関節症、偽痛風、関節外リウマチ、滑液包炎、腱鞘炎、外上顆炎（テニス肘）、手根管圧迫症候群、反復利用性損傷（タイピング）、種々の形態の関節症、神経障害性関節疾患（シャルコおよび関節）、関節血症（関節血症性）、ヘノッホ-シェーンライン紫斑病、肥厚性骨関節症、多中心性網組織球症、特定の疾患に付随する関節炎、サルコイロシス（surcoilosis）、血色素症、鎌状赤血球病および他の異常血色素症、高リポ蛋白血症、低γ-グロブリン血症、副甲状腺機能亢進症、先端肥大症、家族性地中海熱、ベハット（Behat）病、全身性エリテマトーデス、または再発性多発性軟骨炎、および関連疾患の病的作用を軽減する方法。
【請求項２１】  そのような処置を必要としている哺乳類に請求項１記載の化合物の治療的有効量を投与して敗血症、敗血症ショック、成人呼吸困難症候群、膵臓炎、トラウマ（外傷）誘発性ショック、気管支喘息、アレルギー性鼻炎、慢性関節リウマチ、嚢胞性線維症、発作、急性気管支炎、慢性気管支炎、急性細気管支炎、慢性細気管支炎、変形性関節症、痛風、脊椎関節症（spondylarthropathris）、強直性脊椎炎、ライター症候群、乾癬性関節炎、腸疾患性脊椎炎（enterapathric spondylitis）、若年性関節症または若年性強直性脊椎炎、反応性関節症、感染または感染後関節炎、淋菌性関節炎、結核性関節炎、ウイルス性関節炎、真菌性関節炎、梅毒性関節炎、ライム病、「脈管症候群」に付随する関節炎、結節性多発性動脈炎、高感受性脈管炎、Luegenec's 肉芽腫症、リウマチ性多発性筋痛、側頭動脈炎（joint cell arteritis）、カルシウム結晶沈着関節症、偽痛風、関節外リウマチ、滑液包炎、腱鞘炎、外上顆炎（テニス肘）、手根管圧迫症候群、反復利用性損傷（タイピング）、種々の形態の関節症、神経障害性関節疾患（シャルコおよび関節）、関節血症（関節血症性）、ヘノッホ-シェーンライン紫斑病、肥厚性骨関節症、多中心性網組織球症、特定の疾患に付随する関節炎、サルコイロシス（surcoilosis）、血色素症、鎌状赤血球病および他の異常血色素症、高リポ蛋白血症、低γ-グロブリン血症、副甲状腺機能亢進症、先端肥大症、家族性地中海熱、ベハット（Behat）病、全身性エリテマトーデス、または再発性多発性軟骨炎、または関連疾患を処置するための医薬の製造のための、請求項１記載の化合物の使用。